(57)【要約】【課題】エンジンオイルの消費量を計測する連続重量計の計測誤差を算出することができるエンジンオイル消費量の計測装置及び計測方法を提供する。【解決手段】エンジン１０で消費されるエンジンオイルの消費量を計測するエンジンオイル消費量の計測装置１００であって、エンジンオイルが貯溜され、貯溜されたエンジンオイルをエンジン１０に含まれるオイルパン１５に補給可能な補給タンク２５の重量を計測する連続重量計２０と、オイルパン１５からエンジンオイルを滴下させるとともに、滴下されたエンジンオイルの滴下量を検出する高精度はかり３６と、高精度はかり３６の検出値と、連続重量計２０の計測値とを比較して、連続重量計２０の計測誤差を算出するコントローラ５０と、を備え、高精度はかり３６の算出値と連続重量計２０の計測値とに基づいてエンジン１０で消費されるエンジンオイルの量を計測する。【選択図】図１
2014084734.tif 000002
【特許請求の範囲】
【請求項１】
エンジンで消費されるエンジンオイルの消費量を計測するエンジンオイル消費量の計測装置であって、
エンジンオイルが貯溜され、該貯溜されたエンジンオイルをエンジンに含まれるオイルパンに補給可能な補給タンクの重量を計測する連続重量計と、
前記オイルパンからエンジンオイルを滴下させるとともに、該滴下されたエンジンオイルの滴下量を検出する検出器と、
前記検出器の検出値と、前記連続重量計の計測値とを比較して、前記連続重量計の計測誤差を算出する算出部と、
を備え、
前記算出部の算出値と前記連続重量計の計測値とに基づいてエンジンで消費されるエンジンオイルの量を計測する、
エンジンオイル消費量の計測装置。
【請求項２】
請求項１記載のエンジンオイル消費量の計測装置であって、
前記検出器、前記連続重量計、及び前記算出部により、前記連続重量計の計測誤差を算出する計測誤差算出システムが構成され、
前記連続重量計及び前記算出部により、エンジンによるエンジンオイル消費量を計測するエンジンオイル消費量計測システムが構成される、
エンジンオイル消費量の計測装置。
【請求項３】
請求項１又は請求項２記載のエンジンオイル消費量の計測装置であって、
前記滴下されたエンジンオイルは、前記オイルパンに貯溜されているエンジンオイルを単位時間当たり所定量滴下させる滴下装置によって滴下され、
前記連続重量計は、ロードセルによって前記補給タンクの単位時間当たりの重量を計測する、
エンジンオイル消費量の計測装置。
【請求項４】
エンジンのオイルパンに貯溜されているエンジンオイルの減少量を計測する前記連続重量計を用いて、エンジンで消費されるエンジンオイルの消費量を計測するエンジンオイル消費量の計測方法であって、
前記エンジンのオイルパンに貯溜されているエンジンオイルを擬似的に消費させるとともに、擬似的に消費したエンジンオイル量を計測し、
前記連続重量計によって、前記オイルパンに貯溜されているエンジンオイルの減少量を計測し、
前記擬似的に消費したエンジンオイル量の計測値と、前記オイルパンに貯溜されているエンジンオイルの減少量の計測値とを、前記擬似的に消費したエンジンオイル量の計測値を真値として比較して、前記連続重量計の計測誤差を算出する、
エンジンオイル消費量の計測方法。
【請求項５】
請求項４記載のエンジンオイル消費量の計測方法であって、
前記連続重量計の計測誤差を算出して、前記連続重量計の良否を判別する計測誤差算出工程と、
前記計測誤差算出工程において、良と判別された前記連続重量計を用いて、エンジンによるエンジンオイル消費量を計測するエンジンオイル消費量計測工程とを備える、
エンジンオイル消費量の計測方法。
【発明の詳細な説明】
【技術分野】
【０００１】
本発明は、エンジンオイル消費量の計測装置及び計測方法の技術に関する。
【背景技術】
【０００２】
エンジンの製造段階では、実際にエンジンを駆動し、エンジンオイルの消費量を確認する試験等が行われる。このようにエンジンオイルの消費量を確認する試験等では、エンジンのオイルパンのエンジンオイル残量をロードセルで直接に重量計測する連続重量法が良く知られている。
【０００３】
例えば、特許文献１には、連続重量法によるエンジンオイル消費量の計測装置が開示されている。特許文献１に開示されるエンジンオイル消費量の計測装置では、オイルパンのオイルレベルを油槽に内設した供給および吸入用ポンプにより調節して、ロードセルにより計測した油槽内のオイル量でオイル消費量の計測を行う。
【０００４】
しかし、特許文献１に開示されるような連続重量法を用いるエンジンオイル消費量の計測装置では、計測結果にばらつきが発生した際に、ばらつきの原因が計測装置（連続重量計）の計測誤差なのか、或いは、エンジン異常なのかを現状では判断することができない。そこで、エンジンオイル消費試験等の計測信頼性を確保するため、エンジンオイル消費量の計測装置では、計測装置の計測誤差を算出することが望まれている。
【先行技術文献】
【特許文献】
【０００５】
【特許文献１】実開平０５−０４７３２０号公報
【発明の概要】
【発明が解決しようとする課題】
【０００６】
本発明の解決しようとする課題は、エンジンオイルの消費量を計測する連続重量計の計測誤差を算出することができるエンジンオイル消費量の計測装置及び計測方法を提供することである。
【課題を解決するための手段】
【０００７】
本発明の解決しようとする課題は以上の如くであり、次にこの課題を解決するための手段を説明する。
【０００８】
即ち、請求項１においては、エンジンで消費されるエンジンオイルの消費量を計測するエンジンオイル消費量の計測装置であって、エンジンオイルが貯溜され、該貯溜されたエンジンオイルをエンジンに含まれるオイルパンに補給可能な補給タンクの重量を計測する連続重量計と、前記オイルパンからエンジンオイルを滴下させるとともに、該滴下されたエンジンオイルの滴下量を検出する検出器と、前記検出器の検出値と、前記連続重量計の計測値とを比較して、前記連続重量計の計測誤差を算出する算出部と、を備え、前記算出部の算出値と前記連続重量計の計測値とに基づいてエンジンで消費されるエンジンオイルの量を計測するものである。
【０００９】
請求項２においては、請求項１記載のエンジンオイル消費量の計測装置であって、前記検出器、前記連続重量計、及び前記算出部により、前記連続重量計の計測誤差を算出する計測誤差算出システムが構成され、前記連続重量計及び前記算出部により、エンジンによるエンジンオイル消費量を計測するエンジンオイル消費量計測システムが構成されるものである。
【００１０】
請求項３においては、請求項１又は請求項２記載のエンジンオイル消費量の計測装置であって、前記滴下されたエンジンオイルは、前記オイルパンに貯溜されているエンジンオイルを単位時間当たり所定量滴下させる滴下装置によって滴下され、前記連続重量計は、ロードセルによって前記補給タンクの単位時間当たりの重量を計測するものである。
【００１１】
請求項４においては、エンジンのオイルパンに貯溜されているエンジンオイルの減少量を計測する前記連続重量計を用いて、エンジンで消費されるエンジンオイルの消費量を計測するエンジンオイル消費量の計測方法であって、前記エンジンのオイルパンに貯溜されているエンジンオイルを擬似的に消費させるとともに、擬似的に消費したエンジンオイル量を計測し、前記連続重量計によって、前記オイルパンに貯溜されているエンジンオイルの減少量を計測し、前記擬似的に消費したエンジンオイル量の計測値と、前記オイルパンに貯溜されているエンジンオイルの減少量の計測値とを、前記擬似的に消費したエンジンオイル量の計測値を真値として比較して、前記連続重量計の計測誤差を算出するものである。
【００１２】
請求項５においては、請求項４記載のエンジンオイル消費量の計測方法であって、前記連続重量計の計測誤差を算出して、前記連続重量計の良否を判別する計測誤差算出工程と、前記計測誤差算出工程において、良と判別された前記連続重量計を用いて、エンジンによるエンジンオイル消費量を計測するエンジンオイル消費量計測工程とを備えるものである。
【発明の効果】
【００１３】
本発明のエンジンオイル消費量の計測装置及び計測方法によれば、エンジンオイルの消費量を計測する連続重量計の計測誤差を算出することができる。
【図面の簡単な説明】
【００１４】
【図１】エンジンオイル消費量計測装置を示した模式図。
【図２】エンジンオイル消費量計測工程の流れを示したフロー図。
【図３】誤差算出工程の流れを示したフロー図。
【図４】エンジンオイル消費量算出工程の流れを示したフロー図。
【発明を実施するための形態】
【００１５】
図１を用いて、エンジンオイル消費量計測装置１００について説明する。
なお、図１では、エンジンオイル消費量計測装置１００を模式的に表している。また、図１の破線は、電気信号線を表している。
【００１６】
エンジンオイル消費量計測装置１００は、本発明に係るエンジンオイル消費量の計測装置の実施形態である。エンジンオイル消費量計測装置１００は、自動車工場のエンジン製造工程において工場出荷前のエンジン１０のエンジンオイルの消費量を計測する装置である。エンジンオイル消費量計測装置１００は、連続重量計２０と、擬似エンジンオイル消費装置３０と、算出部としてのコントローラ５０と、を備えている。
【００１７】
エンジン１０は、シリンダヘッド１１と、シリンダブロック１２と、を備えている。シリンダブロック１２の下部には、オイルパン１５が設けられている。オイルパン１５には、エンジン１０の摺動部を潤滑するエンジンオイルが貯溜されている。
【００１８】
連続重量計２０は、オイルパン１５に貯溜されているエンジンオイルの単位時間当たりの減少量を計測するものである。連続重量計２０は、補給管２１と、吸入管２２と、補給タンク２５と、ロードセル２６と、を備えている。
【００１９】
補給管２１は、補給タンク２５に一時的に貯溜されているエンジンオイルを再度オイルパン１５に戻すものである。補給管２１は、連続重量計２０の補給タンク２５と、エンジン１０のオイルパン１５とを連通している。補給管２１の途上には、補給用ポンプ２３が設けられている。
【００２０】
吸入管２２は、オイルパン１５に貯溜されているエンジンオイルを補給タンク２５に一時的に貯溜するために吸入するものである。吸入管２２は、連続重量計２０の補給タンク２５と、エンジン１０のオイルパン１５とを連通している。吸入管２２の途上には、吸入用ポンプ２４が設けられている。
【００２１】
補給タンク２５は、オイルパン１５に貯溜されているエンジンオイルを一時的に貯溜するものである。補給タンク２５は、補給管２１及び吸入管２２を介してエンジン１０のオイルパン１５と連通している。
【００２２】
補給タンク２５では、補給用ポンプ２３及び吸入用ポンプ２４によって、貯留されるエンジンオイル量が一定となるように、エンジンオイルをオイルパン１５へ送出し、或いは、オイルパン１５内のエンジンオイルが送出される。
【００２３】
また、補給タンク２５では、オイルパン１５内のエンジンオイルが消費されて減少したときには、補給用ポンプ２３及び吸入用ポンプ２４を駆動して、貯留されるエンジンオイルをオイルパン１５へ補給することが可能となっている。
【００２４】
ロードセル２６は、補給タンク２５の重量を検出し電気信号に変換するものである。ロードセル２６には、エンジンオイルが貯溜された補給タンク２５の負荷が作用している。ロードセル２６はコントローラ５０に接続されており、ロードセル２６の検出値がコントローラ５０に入力可能となっている。
【００２５】
このような構成とすることで、連続重量計２０では、オイルパン１５内のエンジンオイルが消費された際に、補給用ポンプ２３及び吸入用ポンプ２４を駆動してオイルパン１５内のエンジンオイル量が一定となるように制御するとともに、ロードセル２６により補給タンク２５重量を検出することで、オイルパン１５に貯溜されているエンジンオイルの単位時間当たりの減少量を計測している。
【００２６】
擬似エンジンオイル消費装置３０は、オイルパン１５に貯溜されているエンジンオイルを減少させる（擬似的に消費させる）ものである。擬似エンジンオイル消費装置３０は、電磁切換弁３１と、滴下装置としての自動滴下装置３２と、容器３５と、検出器としての高精度はかり３６と、を備えている。
【００２７】
なお、オイルパン１５内のエンジンオイルは、通常、エンジン１０の運転に伴って消費されるが、擬似エンジンオイル消費装置３０は、オイルパン１５内のエンジンオイルを、エンジン１０の運転によらず自動滴下装置３２により強制的にオイルパン１５の外部へ排出することで、擬似的に消費するものである。
【００２８】
電磁切換弁３１は、オイルパン１５と自動滴下装置３２とを接続する接続管の途上に設けられている。電磁切換弁３１はコントローラ５０に接続されており、コントローラ５０により電磁切換弁３１の開閉が制御可能となっている。
【００２９】
自動滴下装置３２は、自動的に、オイルパン１５内のエンジンオイルを、オイルパン１５外へ単位時間当たり所定量（設定流量）だけ滴下させるものである。より具体的には、自動滴下装置３２では、滴下するエンジンオイルを滴下センサによって検出し、電動クレンメによって出口側チューブの押圧を調整して、出口側チューブを通過する流量が設定流量になるように調整している。
【００３０】
容器３５は、自動滴下装置３２により滴下されるエンジンオイルを一時的に貯溜するものである。容器３５は、高精度はかり３６に載置されている。
【００３１】
高精度はかり３６は、自動滴下装置３２により容器３５へ滴下されたオイルパン１５内のエンジンオイルの重量を計測するものである。高精度はかり３６は、１ｇ以下の単位までの重量を計測できるはかりである。高精度はかり３６はコントローラ５０に接続されており、高精度はかり３６の計測値がコントローラ５０に入力可能となっている。
【００３２】
コントローラ５０は、擬似エンジンオイル消費装置３０によって擬似的に消費させた擬似エンジンオイル消費量Ｘと、連続重量計２０によって計測したエンジンオイル消費量Ｐと、を比較して、連続重量計２０の計測誤差を算出する機能を有している。コントローラ５０は、ロードセル２６と、電磁切換弁３１と、高精度はかり３６と、に接続されている。
【００３３】
なお、擬似エンジンオイル消費装置３０によって擬似的に消費させられた擬似エンジンオイル消費量Ｘは、自動滴下装置３２により容器３５へ滴下されたエンジンオイル量に相当する。つまり、擬似的に消費される擬似エンジンオイル消費量Ｘは、自動滴下装置３２によりオイルパン１５内から外部へ取り出されるエンジンオイル量に等しい。
【００３４】
また、エンジンオイル消費量計測装置１００においては、連続重量計２０、擬似エンジンオイル消費装置３０、及びコントローラ５０により、擬似エンジンオイル消費装置３０によって消費させた擬似エンジンオイル消費量Ｘと、連続重量計２０によって計測したエンジンオイル消費量Ｐとを比較して、連続重量計２０の計測誤差を算出する計測誤差算出システムを構成しており、連続重量計２０及びコントローラ５０により、エンジン１０によるエンジンオイル消費量を計測するエンジンオイル消費量計測システムを構成している。
【００３５】
図２を用いて、エンジンオイル消費量計測工程Ｓ１０００について説明する。
なお、図２では、エンジンオイル消費量計測工程Ｓ１０００をフローチャートによって表している。
【００３６】
エンジンオイル消費量計測工程Ｓ１０００は、本発明に係るエンジンオイル消費量の計測装置により行われるエンジンオイル消費量の計測方法の実施形態である。エンジンオイル消費量計測工程Ｓ１０００は、連続重量計２０の計測誤差を算出して、連続重量計２０の良否を判別し、計測値が正常であると判別された連続重量計２０によって正確にエンジンオイル消費量を計測する工程である。
【００３７】
エンジンオイル消費量計測工程Ｓ１０００は、誤差算出工程Ｓ１００・Ｓ３００と、エンジンオイル消費量算出工程Ｓ２００と、エンジンオイル消費量評価工程Ｓ４００と、を備えている。
【００３８】
誤差算出工程Ｓ１００・Ｓ３００は、擬似エンジンオイル消費装置３０によって減少させた擬似エンジンオイル消費量Ｘと、連続重量計２０によって計測したエンジンオイル消費量Ｐとを比較して、連続重量計２０の計測誤差を算出し、連続重量計２０の良否を判定する工程である。
【００３９】
エンジンオイル消費量算出工程Ｓ２００は、誤差算出工程Ｓ１００において計測誤差がなく計測値が正常であると判別された連続重量計２０を用いて、エンジンオイル消費量を計測する工程である。なお、ここで、「計測誤差がない」とは、計測値が予め定められた所定の基準値内にあり、計測値を正常な値として取り扱っても問題がない状態をいう。
【００４０】
エンジンオイル消費量評価工程Ｓ４００は、エンジンオイル消費量算出工程Ｓ２００において算出されたエンジンオイル消費量Ｐの評価を行うとともに、算出されたエンジンオイル消費量Ｐのデータをデータベースに保存する工程である。
【００４１】
図３を用いて、誤差算出工程Ｓ１００について説明する。
なお、図３では、誤差算出工程Ｓ１００をフローチャートによって表している。
【００４２】
誤差算出工程Ｓ１００は、上述したように、擬似エンジンオイル消費装置３０によって消費させた擬似エンジンオイル消費量Ｘと、連続重量計２０によって計測したエンジンオイル消費量Ｐとを比較して、連続重量計２０の計測誤差を算出し、連続重量計２０の良否を判別する工程である。
【００４３】
なお、誤差算出工程Ｓ１００では、補給用ポンプ２３と吸入用ポンプ２４とがそれぞれ駆動され、オイルパン１５に貯溜されるエンジンオイルが一定量となるように制御される。
【００４４】
コントローラ５０は、ステップＳ１１０において、エンジン１０の暖機運転を開始する。エンジン１０が暖機運転することによって、オイルパン１５内のエンジンオイルは、エンジン１０が通常運転を行っているときと同様の温度にまで加温される。なお、暖気運転とは、無負荷でエンジン１０を駆動している状態であって、エンジン１０によってエンジンオイルが消費されない状態である。
【００４５】
コントローラ５０は、ステップＳ１２０において、設定流量にて自動滴下装置３２を起動させる。自動滴下装置３２を起動させることによって、オイルパン１５に貯溜されているエンジンオイルが容器３５へ滴下されて、単位時間当たり所定流量だけ擬似的に消費される。
【００４６】
コントローラ５０は、ステップＳ１３０において、暖機運転をしているエンジン１０の運転状態を示す各パラメータが基準範囲内であるかどうかを確認する。このとき、暖機運転をしているエンジン１０の運転状態を示す各パラメータが基準範囲内にない場合は、所定時間経過してから、各パラメータが基準範囲内であるか否かを再度確認するものとする。
【００４７】
なお、各パラメータとは、エンジンオイルの温度、ロードセル２６の温度、連続重量計２０内の湿度が含まれる。なお、各パラメータの基準範囲は、予めコントローラ５０に設定されているものとする。
【００４８】
また、オイルパン１５内のエンジンオイルは自動滴下装置３２により容器３５へ滴下されて擬似的に消費されるが、補給用ポンプ２３及び吸入用ポンプ２４により補給タンク２５内のエンジンオイルがオイルパン１５内へ補給等されるため、オイルパン１５内のエンジンオイルは一定量に保持される。これにより、補給タンク２５内のエンジンオイルは減少していく。
【００４９】
コントローラ５０は、ステップＳ１４０において、連続重量計２０によって計測した補給タンク２５内のエンジンオイルの単位時間当たりの減少量から、複数のエンジンオイル消費量Ｐ１・・・Ｐｎのデータを算出する。
【００５０】
本実施形態では、単位時間（例えば１時間）当たりの消費量であるエンジンオイル消費量Ｐの最小２乗式ｙ＝Ｐｘ＋ｑ（ｙが実際のエンジンオイル消費量、ｘが時系列）を１分毎に求める。この場合、基準時間から１分後のエンジンオイル消費量Ｐをエンジンオイル消費量Ｐ１とし、ｎ分後のエンジンオイル消費量Ｐをエンジンオイル消費量Ｐｎとして、複数のエンジンオイル消費量Ｐ１・・・Ｐｎのデータを算出する。
【００５１】
コントローラ５０は、ステップＳ１５０において、複数のエンジンオイル消費量Ｐ１・・・Ｐｎのばらつきが基準範囲内であるかどうかを確認する。このとき、複数のエンジンオイル消費量Ｐ１・・・Ｐｎのばらつきが基準範囲内であれば問題がないと判断して、ステップＳ１６０へ移行する。一方、複数のエンジンオイル消費量Ｐ１・・・Ｐｎのばらつきが基準範囲内になければ問題があると判断して、再度ステップＳ１３０からやり直す。なお、ばらつきの基準範囲は、予めコントローラ５０に設定されているものとする。
【００５２】
コントローラ５０は、ステップＳ１６０において、複数のエンジンオイル消費量Ｐ１・・・Ｐｎ・・の平均値をエンジンオイル消費量Ｐとして算出する。
【００５３】
コントローラ５０は、ステップＳ１７０において、自動滴下装置３２から滴下され容器３５に貯留されたエンジンオイル量を高精度はかり３６によって計測し、計測したエンジンオイル量を取得する。コントローラ５０は、取得したエンジンオイル量の計測値に基づいて、自動滴下装置３２からのエンジンオイルの単位時間当たりの滴下量となる擬似エンジンオイル消費量Ｘを算出する。
【００５４】
コントローラ５０は、ステップＳ１８０において、擬似エンジンオイル消費量Ｘとエンジンオイル消費量Ｐとの差を、連続重量計２０によって計測したエンジンオイル消費量Ｐの計測誤差として算出する。この場合、高精度はかり３６によって計測した擬似エンジンオイル消費量Ｘを計測誤差のない真値として取り扱う。
【００５５】
さらに、擬似エンジンオイル消費量Ｘとエンジンオイル消費量Ｐとの差（連続重量計２０によるエンジンオイル消費量Ｐの計測誤差）が基準範囲内であるかどうかを確認する。なお、擬似エンジンオイル消費量Ｘとエンジンオイル消費量Ｐとの差の基準範囲は、予めコントローラ５０に設定されているものとする。
【００５６】
このとき、擬似エンジンオイル消費量Ｘとエンジンオイル消費量Ｐとの差が基準範囲内であれば、連続重量計２０が良であって、連続重量計２０の計測値が正常であると判断してステップＳ１９０へ移行する。一方、擬似エンジンオイル消費量Ｘとエンジンオイル消費量Ｐとの差が基準範囲内にない場合は、連続重量計２０が否であって、連続重量計２０の計測値が正常でないと判断してステップＳ５００へ移行する。
【００５７】
コントローラ５０は、ステップＳ１９０において、エンジン１０の暖機運転を停止する。
【００５８】
作業者は、ステップＳ５００において、擬似エンジンオイル消費量Ｘとエンジンオイル消費量Ｐとの差が基準範囲内にない原因を追究する。
【００５９】
図４を用いて、エンジンオイル消費量算出工程Ｓ２００について説明する。
なお、図４では、エンジンオイル消費量算出工程Ｓ２００をフローチャートによって表している。
【００６０】
エンジンオイル消費量算出工程Ｓ２００は、上述したように、誤差算出工程Ｓ１００において計測値が正常であると判別された連続重量計２０を用いて、通常運転を行っているエンジン１０によるエンジンオイル消費量を実際に計測する工程である。
【００６１】
エンジンオイル消費量算出工程Ｓ２００では、補給用ポンプ２３と吸入用ポンプ２４とがそれぞれ駆動され、オイルパン１５に貯溜されるエンジンオイルが一定量となるように制御されるものとする。
【００６２】
コントローラ５０は、ステップＳ２１０において、エンジン１０の通常運転を開始する。これにより、オイルパン１５内のエンジンオイルはエンジン１０により消費される。
【００６３】
コントローラ５０は、ステップＳ２２０において、通常運転をしているエンジン１０の運転状態を示す各パラメータが基準範囲内であるかどうかを確認する。ここで、各パラメータとは、エンジンオイル温度、ロードセル２６の温度、連続重量計２０内の湿度が含まれる。なお、各パラメータの基準範囲は、予めコントローラ５０に設定されているものとする。このとき、通常運転をしているエンジン１０の運転状態を示す各パラメータが基準範囲内にない場合は、所定時間経過してから、各パラメータが基準範囲内にあるか否かを再度確認するものとする。
【００６４】
コントローラ５０は、ステップＳ２３０において、連続重量計２０によって計測した補給タンク２５内のエンジンオイルの単位時間当たりの減少量から、複数のエンジンオイル消費量Ｐ１・・・Ｐｎのデータを算出する。
【００６５】
本実施形態では、単位時間（例えば１時間）当たりの消費量であるエンジンオイル消費量Ｐの最小２乗式ｙ＝Ｐｘ＋ｑ（ｙが実際のエンジンオイル消費量、ｘが時系列）を１分毎に求める。この場合、基準時間から１分後のエンジンオイル消費量Ｐをエンジンオイル消費量Ｐ１とし、ｎ分後のエンジンオイル消費量Ｐをエンジンオイル消費量Ｐｎとして、複数のエンジンオイル消費量Ｐ１・・・Ｐｎのデータを算出する。
【００６６】
コントローラ５０は、ステップＳ２４０において、複数のエンジンオイル消費量Ｐ１・・・Ｐｎのばらつきが基準範囲内であるかどうかを確認する。このとき、複数のエンジンオイル消費量Ｐ１・・・Ｐｎのばらつきが基準範囲内であれば問題がないと判断して、ステップＳ２５０へ移行する。一方、複数のエンジンオイル消費量Ｐ１・・・Ｐｎのばらつきが基準範囲内になければ問題があると判断して、再度ステップＳ２２０からやり直す。なお、ばらつきの基準範囲は、予めコントローラ５０に設定されているものとする。
【００６７】
コントローラ５０は、ステップＳ２５０において、複数のエンジンオイル消費量Ｐ１・・・Ｐｎの平均値をエンジンオイル消費量Ｐとして算出する。
【００６８】
コントローラ５０は、ステップＳ２６０において、エンジン１０の通常運転を停止する。
【００６９】
誤差算出工程Ｓ３００について説明する。
誤差算出工程Ｓ３００は、擬似エンジンオイル消費装置３０によって減少させた擬似エンジンオイル消費量Ｘと、連続重量計２０によって計測したエンジンオイル消費量Ｐとを比較して、連続重量計２０の計測誤差を算出する工程である。誤差算出工程Ｓ３００は誤差算出工程Ｓ１００と同様の工程であるため、詳細な説明は省略する。
【００７０】
エンジンオイル消費量評価工程Ｓ４００について説明する。
エンジンオイル消費量評価工程Ｓ４００は、上述のように、エンジンオイル消費量算出工程Ｓ２００において算出されたエンジンオイル消費量Ｐの評価を行うとともに、算出されたエンジンオイル消費量Ｐのデータ等をデータベースに保存する工程である。
【００７１】
算出されたエンジンオイル消費量Ｐの評価は、例えば算出されたエンジンオイル消費量Ｐを予め設定された規格値と比較することにより行われる。また、評価が行われたエンジンオイル消費量Ｐのデータや評価結果等がデータベースに保存される。
【００７２】
エンジンオイル消費量計測装置１００及びエンジンオイル消費量計測工程Ｓ１０００の効果について説明する。
エンジンオイル消費量計測装置１００及びエンジンオイル消費量計測工程Ｓ１０００によれば、エンジンオイルの消費量を計測する連続重量計２０の計測誤差を算出することができる。また、計測誤差が算出された連続重量計２０を用いてエンジンオイル消費量Ｐを正確に計測できる。
【００７３】
また、エンジンオイル消費量計測工程Ｓ１０００では、エンジンオイル消費量算出工程Ｓ２００を実施する前に誤差算出工程Ｓ１００を実施して、連続重量計２０の計測誤差を予め算出するようにしているので、エンジンオイル消費量Ｐの計測値に異常が生じた際に、異常の原因が連続重量計２０側にあるのかエンジン１０側にあるのかを簡便に検証することができ、エンジンオイル消費量Ｐの評価を短時間かつ適正に行うことができる。
【００７４】
さらに、エンジンオイル消費量計測工程Ｓ１０００では、誤差算出工程Ｓ３００をエンジンオイル消費量算出工程Ｓ２００の後に実施して、連続重量計２０の計測値が正常であることを再度確認することで、エンジンオイル消費量算出工程Ｓ２００にて計測したエンジン１０によるエンジンオイル消費量Ｐの計測値の正確さを確認することが可能となっている。
【符号の説明】
【００７５】
１０      エンジン
１５      オイルパン
２０      連続重量計
２５      補給タンク
２６      ロードセル
３０      擬似エンジンオイル消費装置
３２      自動滴下装置
３６      高精度はかり（検出器）
５０      コントローラ（算出部）
１００    エンジンオイル消費量計測装置
【図１】
2014084734.tif 000003
【図２】
2014084734.tif 000004
【図３】
2014084734.tif 000005
【図４】
2014084734.tif 000006